(57)【要約】【課題】複雑な利用許諾条件を持つコンテンツを従来型の受信局に安全に配信する。【解決手段】送信局２にて、コンテンツ送出部２１はコンテンツを送出し、暗号処理部２２はこれを暗号化する。利用許諾条件解釈部２３はコンテンツ付随の利用許諾条件を解釈し利用制限内容を保持する。利用許諾条件振り分け部２４は利用許諾条件の内、受信局が解釈できる形式の制御情報にて利用制限を課せる条件を抽出し、制御情報のフォーマットや種類を選択し、これを基に制御情報送出部２５はコピー制御情報や契約情報を生成し送出する。受信局４にて、デコーダ４１は配信されたコンテンツを復号・表示し、暗号処理部４３は暗号化コンテンツを復号し、コピー制御部４４は外部蓄積デバイス５へのコンテンツのコピーを制限する。限定受信処理部４５は配信された契約情報に基づき、暗号化コンテンツの復号用の鍵情報を暗号処理部４３に出力する。【選択図】図１
2005039694.tif 000002
【特許請求の範囲】
【請求項１】
利用許諾条件が付加された高度コンテンツを配信するコンテンツ配信方法において、
当該送信局装置が、
許諾条件解釈部によりコンテンツ利用者向けの利用許諾条件を解釈する段階と、
制御情報送出部により利用許諾条件に基づいて、受信局が解釈できる形式にて利用制限を課すための制御情報を付加して配信する段階とを有し、
コンテンツに付加された利用許諾条件に基づいて、受信局でのコンテンツ利用を制限する
ことを特徴とするコンテンツ配信方法。
【請求項２】
利用許諾条件が付加された高度コンテンツを配信するコンテンツ配信方法において、
当該送信局装置が、
許諾条件解釈部によりコンテンツ利用者向けの利用許諾条件を解釈する段階と、
許諾条件振り分け部により利用許諾条件のうち、配信対象の受信局が解釈できる制御信号を判定し、制御信号にて利用制限を課せられる条件を抽出する段階と、
制御情報送出部により利用許諾条件に基づいて、受信局が解釈できる形式にて利用制限を課すための制御情報を付加して配信する段階とを有し、
コンテンツに付加された利用許諾条件に基づいて、受信局でのコンテンツ利用を制限する
ことを特徴とするコンテンツ配信方法。
【請求項３】
利用許諾条件が付加された高度コンテンツを配信するコンテンツ配信方法において、
当該送信局装置が、
許諾条件解釈部によりコンテンツ利用者向けの利用許諾条件を解釈する段階と、
利用可否判断部により利用許諾条件に基づいて、受信局から受け取った利用可否判断要求に対する利用可否を判断する段階と、
利用可否送信部により当該受信局に利用可否結果を送信する段階とを有し、
コンテンツに付加された利用許諾条件に基づいて、受信局でのコンテンツ利用を制限する
ことを特徴とするコンテンツ配信方法。
【請求項４】
利用許諾条件が付加された高度コンテンツを配信する送信局装置において、
コンテンツ利用者向けの利用許諾条件を解釈する許諾条件解釈部と、
利用許諾条件に基づいて、受信局が解釈できる形式にて利用制限を課すための制御情報を付加して配信する制御情報送出部とを有し、
コンテンツに付加された利用許諾条件に基づいて、受信局でのコンテンツ利用を制限する
ことを特徴とするコンテンツ配信送信局装置。
【請求項５】
利用許諾条件が付加された高度コンテンツを配信する送信局装置において、
コンテンツ利用者向けの利用許諾条件を解釈する許諾条件解釈部と、
利用許諾条件のうち、配信対象の受信局が解釈できる制御信号を判定し、制御信号にて利用制限を課せられる条件を抽出する許諾条件振り分け部と、
利用許諾条件に基づいて、受信局が解釈できる形式にて利用制限を課すための制御情報を付加して配信する制御情報送出部とを有し、
コンテンツに付加された利用許諾条件に基づいて、受信局でのコンテンツ利用を制限する
ことを特徴とするコンテンツ配信送信局装置。
【請求項６】
利用許諾条件が付加された高度コンテンツを配信される送信局装置において、
コンテンツ利用者向けの利用許諾条件を解釈する許諾条件解釈部と、
利用許諾条件に基づいて、受信局から受け取った利用可否判断要求に対する利用可否を判断する利用可否判断部と、
当該受信局に利用可否結果を送信する利用可否送信部とを有し、
コンテンツに付加された利用許諾条件に基づいて、受信局でのコンテンツ利用を制限する
ことを特徴とするコンテンツ配信送信局装置。
【請求項７】
利用許諾条件が付加された高度コンテンツを配信する送信局装置の機能プログラムを記録した記録媒体において、
コンテンツ利用者向けの利用許諾条件を解釈する許諾条件解釈部の機能と、
利用許諾条件に基づいて、受信局が解釈できる形式にて利用制限を課すための制御情報を付加して配信する制御情報送出部の機能とを、
コンピュータが読み取り可能な記録媒体に記録した
ことを特徴とするコンテンツ配信送信局装置の機能プログラムを記録した記録媒体。
【請求項８】
利用許諾条件が付加された高度コンテンツを配信する送信局装置の機能プログラムを記録した記録媒体において、
コンテンツ利用者向けの利用許諾条件を解釈する許諾条件解釈部の機能と、
利用許諾条件のうち、配信対象の受信局が解釈できる制御信号を判定し、制御信号にて利用制限を課せられる条件を抽出する許諾条件振り分け部の機能と、
利用許諾条件に基づいて、受信局が解釈できる形式にて利用制限を課すための制御情報を付加して配信する制御情報送出部の機能とを、
コンピュータが読み取り可能な記録媒体に記録した
ことを特徴とするコンテンツ配信送信局装置の機能プログラムを記録した記録媒体。
【請求項９】
利用許諾条件が付加された高度コンテンツを配信する送信局装置の機能プログラムを記録した記録媒体において、
コンテンツ利用者向けの利用許諾条件を解釈する許諾条件解釈部の機能と、
利用許諾条件に基づいて、受信局から受け取った利用可否判断要求に対する利用可否を判断する利用可否判断部の機能とを、
コンピュータが読み取り可能な記録媒体に記録した
ことを特徴とするコンテンツ配信送信局装置の機能プログラムを記録した記録媒体。
【発明の詳細な説明】
【技術分野】
【０００１】
本発明は、利用許諾条件の付加されたコンテンツを配信する際に、利用許諾条件に従って、ユーザのコンテンツ利用を制限するための、コンテンツ配信方法及びコンテンツ配信送信局装置及びコンテンツ配信送信局装置の機能プログラムを記録した記録媒体に関するものである。
【背景技術】
【０００２】
この種の従来方式として、図５に示すデジタル放送における限定受信／権利保護方式がある。図５における限定受信／権利保護方式の構成について述べると、送信局２のコンテンツ送出部２５は、コンテンツ提供者１から受け渡された、利用許諾条件が記述、付加されたコンテンツを送出し、暗号処理部２６は送出するコンテンツを暗号化処理する。コンテンツ提供者１からの利用許諾条件は、送信局２の配信オペレータ操作による登録によって、情報登録部２８を介して制御情報送出部２５に受け渡され、受け渡された利用許諾条件に基づいて、制御情報送出部２５は限定受信用情報送出部２５１で契約情報２６等の限定受信情報を、コピー制御用情報送出部２５２でコピー制御情報を生成し、これら制御情報を暗号化されたコンテンツとともに、ネットワーク３を介して受信局４に配信する。
【０００３】
一方、受信局４は、デコーダ（デコード部）４１、蓄積デバイス４２、暗号処理部４３、コピー制御部４４、限定受信処理部４５から構成され、デコーダ４１は、映像、音声、データ等のコンテンツを復号し、表示する機能を有し、蓄積デバイス４２は、コンテンツの蓄積を行なう機能を有し、暗号処理部４３は、暗号化されたコンテンツの復号を行なう機能を有し、コピー制御部４４は外部蓄積デバイス５等へのコンテンツのコピーを制限する機能を有し、限定受信処理部４５は契約情報に基づいて、暗号化されたコンテンツを復号するための鍵情報を暗号処理部４３に出力する機能を有している。
【０００４】
このような限定受信／権利保護方式では、複雑な利用許諾条件（この条件とは、例えば、コピー条件で１週間あればコピーできるとか、１日間であればコピーできるなどの条件を言う）を受信機（受信局）に直接的に配信するのではなく、送信局のオペレータ操作によって、コンテンツの暗号鍵を取得するための契約情報及び鍵情報（ＥＭＭ（Entitlement Management Massage））やコンテンツの不正コピーを防ぐ制御信号を登録・生成し、これを配信することで利用制限を実施している。
【０００５】
また、別の従来方式として、図６に示すＲＭＰ（Rights Management & Protection）方式がある。図６におけるＲＭＰ方式では、送信局２には、情報登録部及び制御情報送出部に代えて、利用許諾条件送出部２９を設け、受信局４には、デコーダ４１、蓄積デバイス４２、暗号処理部４３、及びコピー制御部４４に加えて、利用許諾条件要求部４７、利用許諾条件判断部４８及び契約情報管理部４９を設けている。
【０００６】
このようなＲＭＰ方式では、複雑な利用許諾条件を送信局２の主導もしくは受信局４の利用許諾条件要求部４７からの利用許諾条件要求に基づいて、送信局２の利用許諾条件送出部２９から受信局４に直接配信し、受信局４側では、利用許諾条件判断部４８で配信された利用許諾条件を解釈し、利用可否判断を行って、契約情報管理部４９で管理し、コンテンツ利用制御を行っている。
【０００７】
なお、コンテンツの不正利用を効果的に排除する配信システムに関しては、下記の特許文献１に記載されたものがあり、ＲＭＰ方式に関する基本的な説明は、下記の非特許文献１に記載されている。
【特許文献１】特開２００３−０５１８１６号公報
【非特許文献１】TV-Anytime Form 、『ドキュメント名：TV109r6、タイトル：7th Draft SP005v1.0 produced at 22nd meeting』、2003.3.20（TV-Anytime Form 公式サイトのＵＲＬ：http://www.tv-anytime.org/）
【発明の開示】
【発明が解決しようとする課題】
【０００８】
上記従来方式では、利用許諾条件を元に、配信事業者側でオペレータ操作にて制御情報を生成し、送信するため、配信のためのコストや時間がかかる問題点がある。また、運用できる制御情報は限りがあるため、複雑な利用許諾条件に基づいて配信することが困難な場合がある。コンテンツに複雑な利用許諾条件が付加されている場合には、受信局側に高度な制御情報解釈機能が必要となり、受信局の処理負荷が増大することに加え、サービス提供のための受信機（受信局装置）の製造コストや機能バージョンアップのコストが増すという問題がある。
【０００９】
本発明は、上記従来方式の問題を解決するため為されたものであり、複雑な利用許諾条件が課せられた価値の高いコンテンツを従来型の受信局に安全に配信できる技術を提供することを課題とする。
【課題を解決するための手段】
【００１０】
上記の課題を解決するため、本発明は、利用許諾条件が付加された高度コンテンツを配信するコンテンツ配信方法において、当該送信局装置が、許諾条件解釈部によりコンテンツ利用者向けの利用許諾条件を解釈する段階と、制御情報送出部により利用許諾条件に基づいて、受信局が解釈できる形式にて利用制限を課すための制御情報を付加して配信する段階とを有し、コンテンツに付加された利用許諾条件に基づいて、受信局でのコンテンツ利用を制限することを特徴とするコンテンツ配信方法を、その解決の手段とする。
【００１１】
あるいは、利用許諾条件が付加された高度コンテンツを配信するコンテンツ配信方法において、当該送信局装置が、許諾条件解釈部によりコンテンツ利用者向けの利用許諾条件を解釈する段階と、許諾条件振り分け部により利用許諾条件のうち、配信対象の受信局が解釈できる制御信号を判定し、制御信号にて利用制限を課せられる条件を抽出する段階と、制御情報送出部により利用許諾条件に基づいて、受信局が解釈できる形式にて利用制限を課すための制御情報を付加して配信する段階とを有し、コンテンツに付加された利用許諾条件に基づいて、受信局でのコンテンツ利用を制限することを特徴とするコンテンツ配信方法を、その解決の手段とする。
【００１２】
あるいは、利用許諾条件が付加された高度コンテンツを配信するコンテンツ配信方法において、当該送信局装置が、許諾条件解釈部によりコンテンツ利用者向けの利用許諾条件を解釈する段階と、利用可否判断部により利用許諾条件に基づいて、受信局から受け取った利用可否判断要求に対する利用可否を判断する段階と、利用可否送信部により当該受信局に利用可否結果を送信する段階とを有し、コンテンツに付加された利用許諾条件に基づいて、受信局でのコンテンツ利用を制限することを特徴とするコンテンツ配信方法を、その解決の手段とする。
【００１３】
あるいは、利用許諾条件が付加された高度コンテンツを配信する送信局装置において、コンテンツ利用者向けの利用許諾条件を解釈する許諾条件解釈部と、利用許諾条件に基づいて、受信局が解釈できる形式にて利用制限を課すための制御情報を付加して配信する制御情報送出部とを有し、コンテンツに付加された利用許諾条件に基づいて、受信局でのコンテンツ利用を制限することを特徴とするコンテンツ配信送信局装置を、その解決の手段とする。
【００１４】
あるいは、利用許諾条件が付加された高度コンテンツを配信する送信局装置において、コンテンツ利用者向けの利用許諾条件を解釈する許諾条件解釈部と、利用許諾条件のうち、配信対象の受信局が解釈できる制御信号を判定し、制御信号にて利用制限を課せられる条件を抽出する許諾条件振り分け部と、利用許諾条件に基づいて、受信局が解釈できる形式にて利用制限を課すための制御情報を付加して配信する制御情報送出部とを有し、コンテンツに付加された利用許諾条件に基づいて、受信局でのコンテンツ利用を制限することを特徴とするコンテンツ配信送信局装置を、その解決の手段とする。
【００１５】
あるいは、利用許諾条件が付加された高度コンテンツを配信される送信局装置において、コンテンツ利用者向けの利用許諾条件を解釈する許諾条件解釈部と、利用許諾条件に基づいて、受信局から受け取った利用可否判断要求に対する利用可否を判断する利用可否判断部と、当該受信局に利用可否結果を送信する利用可否送信部とを有し、コンテンツに付加された利用許諾条件に基づいて、受信局でのコンテンツ利用を制限することを特徴とするコンテンツ配信送信局装置を、その解決の手段とする。
【００１６】
あるいは、利用許諾条件が付加された高度コンテンツを配信する送信局装置の機能プログラムを記録した記録媒体において、コンテンツ利用者向けの利用許諾条件を解釈する許諾条件解釈部の機能と、利用許諾条件に基づいて、受信局が解釈できる形式にて利用制限を課すための制御情報を付加して配信する制御情報送出部の機能とを、コンピュータが読み取り可能な記録媒体に記録したことを特徴とするコンテンツ配信送信局装置の機能プログラムを記録した記録媒体を、その解決の手段とする。
【００１７】
あるいは、利用許諾条件が付加された高度コンテンツを配信する送信局装置の機能プログラムを記録した記録媒体において、コンテンツ利用者向けの利用許諾条件を解釈する許諾条件解釈部の機能と、利用許諾条件のうち、配信対象の受信局が解釈できる制御信号を判定し、制御信号にて利用制限を課せられる条件を抽出する許諾条件振り分け部の機能と、利用許諾条件に基づいて、受信局が解釈できる形式にて利用制限を課すための制御情報を付加して配信する制御情報送出部の機能とを、コンピュータが読み取り可能な記録媒体に記録したことを特徴とするコンテンツ配信送信局装置の機能プログラムを記録した記録媒体を、その解決の手段とする。
【００１８】
あるいは、利用許諾条件が付加された高度コンテンツを配信する送信局装置の機能プログラムを記録した記録媒体において、コンテンツ利用者向けの利用許諾条件を解釈する許諾条件解釈部の機能と、利用許諾条件に基づいて、受信局から受け取った利用可否判断要求に対する利用可否を判断する利用可否判断部の機能とを、コンピュータが読み取り可能な記録媒体に記録したことを特徴とするコンテンツ配信送信局装置の機能プログラムを記録した記録媒体を、その解決の手段とする。
【発明の効果】
【００１９】
本発明によれば、コンテンツに付加された利用許諾条件を送信局で解釈し、この結果に基づいて、自動で利用制限のための制御情報を生成し、これを受信局に送信することにより、従来型の受信局機能を利用して、利用許諾条件の課せられたコンテンツを配信することが可能となる。受信局が解釈可能な制御信号を送信することでは、利用制限が困難な複雑な利用制限を必要とする場合には、受信局から送信される利用可否判断要求に従って、送信局が利用許諾条件に基づいて利用可否のみを返信することにより、受信局は複雑な処理を実行することなく、ユーザにコンテンツの利用制限を課すことが可能である。よって、受信局での処理負荷を低減させるとともに、複雑な利用許諾条件が課せられた価値の高いコンテンツを従来型の受信局に安全に配信することが可能になり、低コストでサービス品質の向上を実現できる。
【発明を実施するための最良の形態】
【００２０】
以下、本発明の最良の実施の形態について図を用いて詳細に説明する。
【実施例１】
【００２１】
［１］概要の説明
ここでは、図１を例にとり、コンテンツに付加された利用許諾条件を送信局で解釈し、解釈結果に基づいて、ユーザにコンテンツの利用制限を課す本発明の実施例を示す。
【００２２】
本実施例におけるシステムは、コンテンツに付随するＸＭＬ形式で記述された利用許諾条件を送信局で解釈し、その結果に基づいて、受信局が解釈可能な制御情報を生成して配信することで、デジタル放送等で利用されている従来の受信局機能にて、利用制限を課すことが可能であり、コンテンツに付加された複雑な利用許諾条件に従ってコンテンツの利用制限を実現できるシステムである。
【００２３】
ＸＭＬ形式で記述される利用許諾条件には、該当するコンテンツについて、期間、利用環境等の一定条件下での、利用動作（視聴、コピー、蓄積等）に対する許諾が記載されている。
【００２４】
［２］構成の説明
本実施例におけるシステムは、送信局２、ネットワーク３、受信局４から構成され、送信局２は、コンテンツ送出部２１、暗号処理部２２、利用許諾条件解釈部２３、利用許諾条件振り分け部２４、制御情報送出部２５から構成される。受信局４は、デコーダ（デコード部）４１、蓄積デバイス４２、暗号処理部４３、限定受信処理部４４、コピー制御部４５から構成される。
【００２５】
このうち、従来のシステムと異なる機能を持つ構成要素は、送信局２において、コンテンツに付加された利用許諾条件を解釈する利用許諾条件解釈部２３、利用許諾条件のうち、受信局が解釈できる形式の制御情報にて利用制限を課すことが可能な条件を判定し、使用する制御情報のフォーマット、種類を選択する利用許諾条件振り分け部２４、利用許諾条件に基づいて、受信局４で利用可能な制御情報を生成、配信する制御情報送出部２５である。
【００２６】
［３］機能の説明
システム構成要素の各機能について説明する。
【００２７】
送信局２におけるコンテンツ送出部２１は、高度コンテンツ提供者１が提供するＭＰＥＧ−２ＴＳ形式のデジタル放送用番組コンテンツを送出する機能を有する。送信局２における暗号処理部２２は、送出コンテンツを暗号化する機能を有する。送信局２における利用許諾条件解釈部２３は、コンテンツに付随するＸＭＬ形式の利用許諾条件を解釈し、コンテンツに対する利用制限内容を保持する機能を有する。送信局２における利用許諾条件振り分け部２４は、解釈された利用許諾条件のうち、受信局４が解釈できる形式の制御情報にて利用制限を課すことが可能な条件を抽出し、制御情報のフォーマット、種類を選択して、制御情報送出部２５に受け渡す機能を有する。送信局２における制御情報送出部２５は、解釈した利用制限内容に基づいて、コピー制御用情報送出部２５２で番組特定情報におけるデジタルコピー制御情報を生成し、限定受信用情報送出部２５１で契約情報（ＥＭＭ）２６等を生成し、送出する機能を有する。
【００２８】
一方、受信局４におけるデコーダ４１は、映像、音声、データ等のコンテンツを復号し、表示する機能を有する。受信局４における蓄積デバイス４２は、コンテンツの蓄積を行う機能を有する。受信局４における暗号処理部４３は、暗号化されたコンテンツの復号を行う機能を有する。受信局４におけるコピー制御部４４は、外部蓄積デバイス５等へのコンテンツのコピーを制限する機能を有する。受信局４における限定受信処理部４５は、配信された契約情報に基づいて、暗号化されたコンテンツを復号するための鍵情報を暗号処理部４３に出力する機能を有する。
【００２９】
［４］システム動作の説明
以下では、本実施例における送信局のシステム動作について記述する。処理の流れについては、図２に示す。図２において、Ｓ１〜Ｓ５は処理のステップである。
【００３０】
（１）利用許諾条件解釈部２３において、ＸＭＬ形式で記述され、コンテンツに付加された利用許諾条件を解析し（Ｓ１）、その結果をデータベースに保持する（Ｓ２）。
【００３１】
（２）利用許諾条件振り分け部２４において（Ｓ３）、（１）で解析された許諾条件の中で、配信対象の受信局が解釈可能な制御情報を用いて利用制限を課すことができる条件を抽出し、制御情報のフォーマット、種類を選択する。本実施例において受信局が解釈可能な情報は、コピー制御情報、ＥＭＭ等であり、ＸＭＬの利用許諾条件に、デジタル機上でのコピー利用に関する許諾が行われている場合には、番組特定情報におけるデジタルコピー制御記述子を制御信号として用いる。また、一定期間、視聴が許可されているコンテンツについては、視聴許可期間の開始時と終了時にＥＭＭ等を用いて契約情報２６を更新し、視聴の可否を制御する。
【００３２】
（３）制御情報送出部２５において、（２）で抽出された条件に対応する項目について、コピー制御用情報送出部２５２ではコピー制御情報を、限定受信用情報送出部２５１ではＥＭＭ等の制御信号を、それぞれ生成し（Ｓ４）、送出する（Ｓ５）。
【００３３】
（４）コンテンツ送出部２１において、（３）で送出される制御情報と合わせてコンテンツを送信することで、受信局４のデコーダ４１、蓄積デバイス４２、暗号処理部４３、コピー制御部４４、限定受信処理部４５では、コンテンツと制御情報を受信し、制御情報に従って、暗号化されたコンテンツの復号、蓄積制御、コピー制御等を行う。
【００３４】
以上の、コンテンツの利用を制限する１以上の動作により、複雑な利用許諾条件に従って、低機能な受信局に対しても、コンテンツ利用を制限するコンテンツ配信サービスの提供が可能である。
【実施例２】
【００３５】
［１］概要の説明
ここでは、図３を例にとり、コンテンツに付加された利用許諾条件を送信局で解釈し、解釈結果に基づいて、ユーザにコンテンツの利用制限を課す本発明の実施例を示す。
【００３６】
本実施例におけるシステムは、コンテンツに付随するＸＭＬ形式で記述された利用許諾条件を送信局で解釈し、その結果に基づいて、受信局が解釈可能な制御情報を生成して配信することで、デジタル放送等で利用されている従来の受信局機能にて、利用制限を課すことが可能であり、コンテンツに付加された複雑な利用許諾条件に従ってコンテンツの利用制限を実現できるシステムである。また、受信局からの利用可否判断要求に対して、送信局で許諾条件を解釈し、可否結果のみを返送することで、複雑な利用許諾条件を受信局で解釈することなく、高度な利用許諾条件に基づいた利用制限を実現できるシステムである。
【００３７】
ＸＭＬ形式で記述される利用許諾条件には、該当するコンテンツについて、期間、利用環境等の一定条件下での、利用動作（視聴、コピー、蓄積等）に対する許諾が記載されている。
【００３８】
［２］構成の説明
本実施例におけるシステムは、送信局２、ネットワーク３、受信局４から構成され、送信局２は、コンテンツ送出部２１、利用許諾条件解釈部２３、利用許諾条件振り分け部２４、制御情報送出部２５、利用可否判断判断部２７から構成される。受信局４は、デコーダ（デコード部）４１、蓄積デバイス４２、暗号処理部４３、限定受信処理部４４、コピー制御部４５、利用可否判断要求部４６から構成される。
【００３９】
このうち、従来のシステムと異なる機能を持つ構成要素は、送信局４において、コンテンツに付加された利用許諾条件を解釈する利用許諾条件解釈部２３、利用許諾条件のうち、受信局が解釈できる形式の制御情報にて利用制限を課すことが可能な条件を判定し、使用する制御情報のフォーマット、種類を選択する利用許諾条件振り分け部２４、利用許諾条件に基づいて、受信局で利用可能な制御情報を生成、配信する制御情報送出部２５、受信局４からの利用可否要求に対して利用可否を返送する利用可否判断部２７である。
【００４０】
［３］機能の説明
システム構成要素の、各機能について説明する。
【００４１】
送信局２におけるコンテンツ送出部２１は、高度コンテンツ提供者１が提供するＭＰＥＧ−２ＴＳ形式のデジタル放送用番組コンテンツを送出する機能を有する。送信局２における暗号処理部２２は、送出コンテンツを暗号化する機能を有する。送信局２における利用許諾条件解釈部２３は、コンテンツに付随するＸＭＬ形式の利用許諾条件を解釈し、コンテンツに対する利用制限内容を保持する機能を有する。送信局２における利用許諾条件振り分け部２４は、解釈された利用許諾条件のうち、受信局が解釈できる形式の制御情報にて利用制限を課すことが可能な条件を抽出し、制御情報のフォーマット、種類を選択して、制御情報送出部２５に受け渡す機能を有する。送信局２における制御情報送出部２５は、解釈した利用制限内容に基づいて、コピー制御用情報送出部２５２で番組特定情報におけるデジタルコピー制御情報を生成し、限定受信用情報送出部２５１で契約情報（ＥＭＭ）２６等を生成し、送出する機能を有する。送信局２における利用可否判断部２７は、受信局４から送信される、コンテンツＩＤ、利用内容に基づいて、ユーザがあるコンテンツに実行しようとしている利用、操作が利用許諾条件に適しているかを判定し、判定結果としての利用可否結果を返信する。なお、本実施例における利用可否判断部２７は、利用可否結果を送信する利用可否送信部の機能を含んでいる。
【００４２】
受信局４における利用可否判断要求部４６は、ユーザがコンテンツを利用、操作する際に、対象としているコンテンツを識別するＩＤと利用内容を送信局２の利用可否判断部２７に送信し、返信されてくる利用可否結果を受信する。受信した利用可否結果に応じて、以下の各部によるコンテンツの利用、操作を実行する。受信局４におけるデコーダ４１は、映像、音声、データ等のコンテンツを復号し、表示する機能を有する。受信局４における蓄積デバイス４２は、コンテンツの蓄積を行う機能を有する。受信局４における暗号処理部４３は、暗号化されたコンテンツの復号を行う機能を有する。受信局４におけるコピー制御部４４は、外部蓄積デバイス５等へのコンテンツのコピーを制限する機能を有する。受信局４における限定受信処理部４５は、配信された契約情報に基づいて、暗号化されたコンテンツを復号するための鍵情報を暗号処理部４３に出力する機能を有する。
【００４３】
［４］システム動作の説明
以下では、本実施例における送信局システム動作について記述する、処理の流れについては、図４に示す。図４において、Ｓ１１〜Ｓ１９は処理のステップである。
【００４４】
（１）利用許諾条件解釈部２３において、ＸＭＬ形式で記述され、コンテンツに付加された利用許諾条件を解析し（Ｓ１１）、その結果をデータベースに保持する（Ｓ１２）。
【００４５】
（２）利用許諾条件振り分け部２４において（Ｓ１３）、（１）で解析された許諾条件の中で、配信対象の受信局が解釈可能な制御情報を用いて利用制限を課すことができる条件を抽出し、制御情報のフォーマット、種類を選択する。本実施例において受信局が解釈可能な情報は、コピー制御情報、ＥＭＭ等であり、ＸＭＬの利用許諾条件に、デジタル機上でのコピー利用に関する許諾が行われている場合には、番組特定情報におけるデジタルコピー制御記述子を制御信号として用いる。また、一定期間、視聴が許可されているコンテンツについては、視聴許可期間の開始時と終了時にＥＭＭ等を用いて契約情報２６を更新し、視聴の可否を制御する。
【００４６】
（３）制御情報送出部２５において、（２）で抽出された条件に対応する項目について、コピー制御用情報送出部２５２ではコピー制御情報を、限定受信用情報送出部２５１ではＥＭＭ等の制御信号を、それぞれ生成し（Ｓ１４）、送出する（Ｓ１５）。
【００４７】
（４）コンテンツ送出部２１において、（３）で送出される制御情報と合わせてコンテンツを送信することで、受信局４のデコーダ４１、蓄積デバイス４２、暗号処理部４３、コピー制御部４４、限定受信処理部４５において、コンテンツと制御情報を受信し、制御情報に従って、暗号化されたコンテンツの復号、蓄積制御、コピー制御等を行い、コンテンツの利用を制限する。
【００４８】
（５）利用可否判断部２７において、受信局４から送信された利用可否判断要求信号を受け取り（Ｓ１６，Ｓ１７）、コンテンツを一意に識別するＩＤと利用・操作内容と利用許諾条件を対比して利用の可否を判断し（Ｓ１８）、判断結果を返信することで（Ｓ１９）、受信局４では、受信した利用可否判断結果に従って、暗号化されたコンテンツの復号、蓄積制御、コピー制御等を行い、コンテンツの利用を制限する。
【００４９】
以上の動作により、複雑な利用許諾条件に従って、低機能な受信局に対しても、コンテンツ利用を制限するコンテンツ配信サービスの提供が可能である。
【実施例３】
【００５０】
図１、図３を用いて説明した送信局２における各部の一部もしくは全部の機能をコンピュータのプログラムで構成し、そのプログラムをコンピュータを用いて実行して本発明を実現することができること、あるいは、図２、図４を用いて説明した送信局２における方法の処理の手順をコンピュータのプログラムで構成し、そのプログラムをコンピュータに実行させることができることは言うまでもない。
【００５１】
これらの、コンピュータでその機能を実現するためのプログラム、あるいは、コンピュータにその処理の手順を実行させるためのプログラムを、そのコンピュータが読み取り可能な記録媒体、例えば、フレキシブルディスクや、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークにより提供されたプログラムをコンピュータにインストールすることで、本発明が実施可能となる。
【図面の簡単な説明】
【００５２】
【図１】本発明の実施例１を示すシステムの構成図
【図２】実施例１における送信局処理の流れ図
【図３】本発明の実施例２を示すシステムの構成図
【図４】実施例２における送信局処理の流れ図
【図５】従来技術１を示す構成図
【図６】従来技術２を示す構成図
【符号の説明】
【００５３】
１…高度コンテンツ提供者
２…送信局
２１…コンテンツ送出部
２２…暗号処理部
２３…利用許諾条件解釈部
２４…利用許諾条件振り分け部
２５…制御情報送出
２５１…限定受信用情報送出部
２５２…コピー制御用情報送出部
２６…契約情報（記憶部）
２７…利用可否判断判断部
３…ネットワーク
４…受信局
４１…デコーダ
４２…蓄積デバイス
４３…暗号処理部
４４…限定受信処理部
４５…コピー制御部
４６…利用可否判断要求部
５…外部蓄積デバイス
【図１】
2005039694.tif 000003
【図２】
2005039694.tif 000004
【図３】
2005039694.tif 000005
【図４】
2005039694.tif 000006
【図５】
2005039694.tif 000007
【図６】
2005039694.tif 000008